(57)【要約】      （修正有）【課題】床面を水平移動可能なキャスタと、ゴム足仕様時の滑り止めを備え、移動可能状態と移動不能状態とを使い分けるキャスタを提供する。【解決手段】転動自在に設けられたボールを下端に有するキャスタ本体９と、キャスタ本体を収容するハウジング１４と、ハウジングの底部の全域を覆うゴム足１６と、を含み、ゴム足底面の中央部には、中央開口が形成されており、ハウジングの内部にキャスタ本体を収容した状態で、ボールの少なくとも一部が、中央開口を介して、ゴム足底面よりも下方に向けて突出可能に設けられており、キャスタ本体をハウジングに対する位置決め構造であって、ボールの少なくとも一部がゴム足底面よりも下方に突出する突出姿勢と、ボールがゴム足底面よりも上方に退避する退避姿勢との間で切り替え可能に位置決めする位置決め構造をさらに含む。【選択図】図４
0003226171.tif 000002
【実用新案登録請求の範囲】
【請求項１】
転動自在に設けられたボールを下端に有するキャスタ本体と、
円筒状の側壁を有し、前記キャスタ本体を収容するハウジングと、
前記ハウジングの底部の全域を覆うゴム足と、を含み、
前記ゴム足の底面の中央部には、中央開口が形成されており、
前記ハウジングの内部に前記キャスタ本体を収容した状態で、前記ボールの少なくとも一部が、前記中央開口を介して、前記ゴム足底面よりも下方に向けて突出可能に設けられており、
前記キャスタ本体を前記ハウジングに対して位置決めする位置決め構造であって、前記キャスタ本体の姿勢を前記ボールの少なくとも一部が前記ゴム足底面よりも下方に突出する突出姿勢と、前記ボールが前記ゴム足底面よりも上方に退避する退避姿勢との間で切り替え可能に位置決めする位置決め構造をさらに含む、ゴム付きキャスタ。
【請求項２】
前記位置決め構造が、
前記キャスタ本体の外表面および前記ハウジングの前記側壁の内周面の一方に設けられた係合突部と、
前記キャスタ本体の前記外表面および前記ハウジングの前記側壁の前記内周面の他方に設けられた、第一の係合溝および第二の係合溝を含む複数の係合溝と、を含み、
前記係合突部の係合先を、前記第一の係合溝と前記第二の係合溝との間で切り替えることにより、前記キャスタ本体の姿勢が、前記突出姿勢と前記退避姿勢との間で切り替わる、
請求項1に記載のゴム付きキャスタ。
【請求項３】
前記キャスタ本体の外周面には、周方向の一部に、周方向の他の部分よりも大径の大径部が形成されており、
前記大径部には、前記複数の係合溝が設けられており、
前記位置決め構造が、
前記第一の係合溝および、または前記第二の係合溝に形成され、前記係合突部が当接するストッパと、
前記ストッパに前記係合突部が当接可能な状態で、
前記大径部の周方向端部と係合する係合ピンとを、さらに含む、
請求項2に記載のゴム付きキャスタ。
【考案の詳細な説明】
【技術分野】
【０００１】
この考案は、ゴム付きキャスタに関するものである。
【背景技術】
【０００２】
従来から、外筒内部に配置した球体が上下動することで、キャスタ移動と固定使用に変更できるキャスタが知られている。
【先行技術文献】
【特許文献】
【０００３】
【特許文献１】実用新案登録第3222610号公報
【特許文献２】特開平2016-141364号公報
【考案の概要】
【考案が解決しようとする課題】
【０００４】
従来の家具や事務椅子などに使用されているキャスタは、図2に示すように、ゴルフクラブ型のオタマジャクシ形状であり、構造物を支持する支点軸が上端中心位置より外側に設けてあり、任意の進行方向に移動する際、それぞれのキャスタが一旦、同一方向に向きを揃える動作が360°回転するため、停止位置から動作開始時に回転方向の捻れ動き（渦巻き動作）を回避することができない。
図2に示すように、従来のキャスタ2は、床面3に接触する支持キャスタ4を、上端取り付け部の回動支点軸5が360°回転で進行方向に向きを変える仕組みであり、椅子などの複数のキャスタ2は、一斉に向きを揃える動作を伴う。この動き出し開始時に支点軸の円周7作用が発生し、渦巻き回転現象が生じる。                                            は
長時間の立ち仕事を支援する立ち椅子などに搭載するキャスタは、業務使途に於いて、立ち姿勢でしか成立しない絶妙で精密慎重なオペレート作業が要求される外科医などの手術や、これに属する使途に於いて、この課題は深刻である。
ゴム付きキャスタ1では、停止位置から動き出す際に発生する「捻れ動き」を抑止し、振動や衝撃発生を抑え、円滑に脚の踏み位置を修正変更し水平移動することができ、
また、定点位置を保持する使途に於いて、高い滑り止め性能を有する大型ゴムを採用し、任意で使用状態を変更できるキャスタ2は無かった。
本考案は、以上の欠点を無くすためになされたものであり、キャスタを、移動可能状態と移動不能状態とを切り替えることができるゴム付きキャスタ1を提供することを目的とする。    
【課題を解決するための手段】
【０００５】
請求項1に記載の考案は、転動自在に設けられたボールを下端に有するキャスタ本体と、円筒状の側壁を有し、前記キャスタ本体を収容するハウジングと、前記ハウジングの底部の全域を覆うゴム足と、を含み、前記ゴム足の底面の中央部には、中央開口が形成されており、前記ハウジングの内部に前記キャスタ本体を収容した状態で、前記ボールの少なくとも一部が、前記中央開口を介して、前記ゴム足底面よりも下方に向けて突出可能に設けられており、前記キャスタ本体を前記ハウジングに対して位置決めする位置決め構造であって、前記キャスタ本体の姿勢を前記ボールの少なくとも一部が前記ゴム足底面よりも下方に突出する突出姿勢と、前記ボールが前記ゴム足底面よりも上方に退避する退避姿勢との間で切り替え可能に位置決めする位置決め構造をさらに含む、ゴム付きキャスタである。
【０００６】
請求項2に記載の考案は、前記位置決め構造が、前記キャスタ本体の外表面および前記ハウジングの前記側壁の内周面の一方に設けられた係合突部と、前記キャスタ本体の前記外表面および前記ハウジングの前記側壁の前記内周面の他方に設けられた、第一の係合溝および第二の係合溝を含む複数の係合溝と、を含み、前記係合突部の係合先を、前記第一の係合溝と前記第二の係合溝との間で切り替わることにより、前記キャスタ本体の姿勢が、前記突出姿勢と前記退避姿勢との間で切り替わる、請求項1に記載のゴム付きキャスタである。
【０００７】
請求項3に記載の考案は、前記キャスタ本体の外周面には、周方向の一部に、周方向の他の部分よりも大径の大径部が形成されており、前記大径部には、前記複数の係合溝が設けられており、前記位置決め構造が、前記第一の係合溝および、または前記第二の係合溝に形成され、前記係合突部が当接するストッパと、前記ストッパに前記係合突部が当接可能な状態で、前記大径部の周方向端部と係合する係合ピンを、さらに含む、請求項2に記載のゴム付きキャスタである。
【考案の効果】
【０００８】
ゴム付きキャスタは、停止状態の位置を保持する移動不能状態、移動可能状態との間で使用状態を切り替えることができる。
以上により、使用状態に於ける快適性を向上させることができる。
【図面の簡単な説明】
【０００９】
【図１】本考案のゴム付きキャスタ1である。停止状態から動き出し時の車輪軸の動作の違いの対比説明図である。
【図２】従来のキャスタ2である。
【図３】本考案のゴム付きキャスタ1を搭載した立ち椅子8の左前方斜視図である。
【図４】本考案のゴム付きキャスタ1であり、やや上方から見た正面斜視図である。
【図５】本考案のゴム付きキャスタ1のキャスタ本体9の底面部分断面図である。
【図６】本考案のゴム付きキャスタ1のハウジング本体14の平面図である。
【図７】本考案のゴム付きキャスタ1のキャスタ本体9の正面図である。
【図８】本考案のゴム付きキャスタ1のキャスタ本体9を、やや下方から見上げた正面斜視図である。
【図９】本考案のゴム付きキャスタ1をゴム足16(退避姿勢)としての使用状態を示す正面から見た部分断面図である。
【図１０】本考案のゴム付きキャスタ1をボール17仕様(突出姿勢)としての使用状態を示す正面から見た部分断面図である。
【図１１】本考案のゴム付きキャスタ1のハウジング本体14を、やや上方より見た正面斜図である。
【図１２】本考案のゴム付きキャスタ1のハウジング本体14の底面図である。
【図１３】本考案のゴム付きキャスタ1のハウジング本体14にキャスタ本体9を取り付ける方向性を示したやや上方から見た正面斜視説明図である。
【図１４】図13を、やや手前から見た平面図である。
【図１５】図14のキャスタ本体9を正回転に90°回動し、係合ピン13で解除可能に係合した状態を示す、やや手前から見た平面図である。
【考案を実施するための形態】
【００１０】
以下、本考案を実施するための形態を図1〜図15に基づいて、説明する。
図1は、本考案のゴム付きキャスタ1である。図2は、従来のキャスタ2である。図3は、本考案のゴム付きキャスタ1を搭載し、ボール17仕様(突出姿勢)として使用状態にある立ち椅子8の左前方斜視図である。図4は、本考案のゴム付きキャスタ1を、やや上方から見た正面斜視図である。
ゴム付きキャスタ1は、内部上下動に配置されたキャスタ本体9を解除可能に係合する手段と、後述するキャスタ本体9外周上下に配置された二段形状を特徴とする水平形状の複数の係合溝12A、12Bと、ハウジング本体14(以下、「ハウジング本体」は、構成部品の集合体であり、「ハウジング」は単品部品として使い分ける場合がある。)の外周枠天面部大径に形設したハウジングの係合突部15により、一定の繰り出し量で、ボール17を上下動する手段と、を備えたものである。
ゴム付きキャスタ1では、ボール17仕様(突出姿勢)の際、床面3の停止状態から360°自在可動領域6を確保しており、振動や衝撃、渦巻き回転を抑止し、滑らかに水平移動する手段を備えている。これは、立ち椅子8などにゴム付きキャスタ1を搭載することでしか成立しない、外科医などの指裁きの立ち仕事に於ける精密なオペレート作業などをサポートし、自身の脚の立ち位置を僅かに変更する際、有効な手段となる。立ち椅子8は、長時間の立ち仕事を支援、快適に行えることを目的とした立ち椅子8であり、ゴム付きキャスタ1を搭載し、ボール17仕様で用いることで、従来技術において発生していた渦巻き回転現象から解放されることを特徴としている。
【００１１】
図5は、本考案のゴム付きキャスタ1のキャスタ本体9の底面部分断面図である。図6は、ゴム付きキャスタ1のハウジング本体14の平面図である。図5、図6は、本考案のゴム付きキャスタ1の構成関係図である。図7は、本考案のゴム付きキャスタ1のキャスタ本体9の正面図である。図8は本考案のゴム付きキャスタ1のキャスタ本体9を、やや下方から見上げた正面斜視図である。図9は、本考案のゴム付きキャスタ1をゴム足16(退避姿勢)としての使用状態を示す正面から見た部分断面図である。図10は、本考案のゴム付きキャスタ1をボール17仕様(突出姿勢)としての使用状態を示す正面から見た部分断面図である。図11は、本考案のゴム付きキャスタ1のハウジング本体14を、やや上方より見た正面斜図である。図12は、本考案のゴム付きキャスタ1のハウジング本体14の底面図である。
【００１２】
ゴム付きキャスタ1の構成を説明する。図5、図6に示すように、ゴム付きキャスタ1は、転動自在に設けられたボール17を下端に有するキャスタ本体9と、ハウジング本体14に、円筒状の側壁28を有し、キャスタ本体9を収容するハウジング本体14と、ハウジング本体14の底部を覆うゴム足16と、キャスタ本体9をハウジング本体14に対して位置決めする位置決め構造と、を含む。後述するボール17をボール仕様時(突出姿勢)に突出させるため、ゴム足16の底面部中央に中央開口22を有している。
すなわち、ゴム付きキャスタ1は、ゴム足16に一体化したハウジング本体14と、ハウジング本体14の側壁内径を周方向に回動する円形状を有したキャスタ本体9と、に大別される。ハウジング本体14は、円筒状をなしている。ハウジング本体14は、例えば約φ65〜68mmの外周であり、全長は、約30〜35mm程度が望ましい。ハウジング本体14の外周壁には、係合突部15が設けられている。
【００１３】
ハウジング本体14の係合突部15は、ハウジング本体14の互いに対向する位置に、一対設けられている。個々の係合突部15は、円弧状をなしている。ハウジング本体14の内部には、キャスタ本体9を収容する収容空間30が区画されている。収容空間30の平面形状は、円形から、互いに対向する一対の円弧状の係合突部15を除いた形状にされている。この収容空間30の平面形状は、キャスタ本体9の平面形状と相似形であり、キャスタ本体9の平面形状よりも一回り大きい。そのため、収容空間30に上方からキャスタ本体9を嵌め入れることができるようになしている。
ゴム足16底面部は、大型の円盤状である。例えば、約φ80mm程度が望ましい。これにより、ゴム足仕様(退避姿勢)では、滑り止め効果の高い床面保持性能を有している。
【００１４】
図5〜図8を参照して、ゴム付きキャスタ1のキャスタ本体9とハウジング本体14の構成を説明する。キャスタ本体9は、円柱体23と、大径部11と、複数の係合溝12A、12Bと、円周形状の円筒面21と、止めネジ20と、ボール17と、ボール保持部29と、ストッパ19と、を含む。ハウジング本体14は、ゴム足16と、ハウジング14と、ハウジング14の外表面(外周面)形成された係合突部15と、円筒状の側壁28と、収容空間30と、中央開口22と、係合ピン13と、を含む。
キャスタ本体9は、円柱体23の側面の互いに反対の位置に2つの大径部11を設けた形状としている。キャスタ本体9の個々の大径部11には、二段の係合溝12A、12Bは、上溝12A(第一の係合溝)と、下溝12B(第二の係合溝)と、を含む。個々の係合溝12A、12Bの溝幅は、個々の係合突部15の厚みよりも一回り大きい。個々の係合溝12A、12Bの底部が円柱体23の外周面と面一である。
円柱体23の外周には、大径部11と直交する両側に円周形状の円筒面21が形成されている。キャスタ本体9には、ボール17を収容するボール保持部29が底面部中央に配置され、止めネジ20で固定されている。
位置決め構造は、ボール17の少なくとも一部が、中央開口22を介してゴム足16の底面よりも下方に突出する突出姿勢(以下、「ボール仕様」という場合がある。)と、ボール17がゴム足16の底面よりも上方に退避する退避姿勢(以下、「ゴム足仕様」という場合がある。)と、の間で切り替える。二段形状を特徴とする複数の係合溝12A、12Bは、水平状態で形成している。複数の係合溝12A、12Bの上溝12Aは、床面水平移動用のボール17仕様であり、下溝12Bは、床面を定点位置で滑らず保持するゴム足16仕様用である。
二段形状を特徴とする複数の係合溝12A、12Bの上下溝間の距離差は、例えば、約6mm程度が望ましい。
この実施形態では、位置決め構造は、ハウジング14の外表面(外周面)に形成された係合突部15と、キャスタ本体9の側壁の内周面に形成された複数の係合溝12A、12Bを含む。
この実施形態によれば、キャスタ本体9の複数の係合溝12A、12Bは、上溝12A(第一の係合溝)と、下溝12B(第二の係合溝)と、ハウジング本体14に取り付けられた係合ピン13と、を含む。係合ピン13は、キャスタ本体9の周方向の回動を解除可能にキャスタ本体9に係合する。
【００１５】
図9、図10に示すように、ボール17をハウジング14に形設したゴム足16底面中央部の中央開口22より突出したり（ボールの繰り出し距離25）、ゴム足16内部に格納するのに適している。ゴム足16仕様に於いて、ボール17を格納時、繰り出し余裕幅18を確保している。例えば、約3ｍｍ程度が望ましい。これは、不用意に床面と接触して不慮の事故が発生することを防止している。
図9〜図12に示すように、ゴム足16仕様(退避姿勢)とボール17仕様(突出姿勢)の使用状態に於いて、ボール仕様時全長26とゴム足仕様時全長27では、全長の距離(高さ)が等しい。立ち椅子8などの使用時に仕様変更しても全長の距離(高さ)の変化が発生しないので、使用者が違和感を感じないことを特徴としている。
【００１６】
図13〜図15に基づいて、ハウジング本体14に、キャスタ本体9を取り付ける方法を説明する。図13は、本考案のゴム付きキャスタ1のハウジング本体14にキャスタ本体9を取り付ける方向性を示したやや上方から見た正面斜視説明図である。図14は、図13を、やや手前から見た平面図である。図15は、図14のキャスタ本体9を正回転周方向に90°回動し、係合ピン13で解除可能に係合した状態を示す、やや手前から見た平面図である。
キャスタ本体9の外周面には、周方向の2カ所に大径部11が形成されている。2つの大径部11は、互いに、周方向に180°ずれて設けられている。上溝12Aおよび下溝12Bを含む複数の係合溝12A、12Bは、個々の大径部11の外周に形成されている。
前記位置決め構造が、上溝12Aおよび下溝12Bに形成され、係合突部15が当接可能なストッパ19をさらに含む。係合ピン13は、係合突部15がストッパ19に当接している状態で、大径部11の周方向端部に係合する。
【００１７】
図13、図14に示すように、キャスタ本体9を収容空間30に上方から嵌め入れる。
この際、係合ピン13は、固定解除しておく必要がある。この状態で、ハウジング本体14の係合突部15の係合先の係合溝を上溝12Aおよび下溝12Bのうちから選択し、選択した係合溝に係合突部15を係合させる。そして、係合突部15が、キャスタ本体9の複数の係合溝12A、12Bに沿っていることを目視で確認しながら、正回転周方向停止位置まで、キャスタ本体9を約90°回動させる。この状態で、個々の係合突部15が、対応する係合溝12A、12Bに係合することにより、ハウジング本体14に対するキャスタ本体9の抜け止めを達成することができる。そして、回動終端で係合ピン13にて係合し、これにより、ハウジング本体14に対するキャスタ本体9の回動が阻止される。キャスタ本体9には、ストッパ19を形成しており、脱落を防止している。ストッパ19は、キャスタ本体9の複数の係合溝12A、12Bの片側に一カ所のみ形成している。係合ピン13から180°の位置にストッパ19を配置することで、2つの位置でハウジング本体14に対するキャスタ本体9の位置決めを達成できる。
以上により、この実施形態によれば、ハウジング本体14の内部中央から下方に衝動自在にキャスタ本体9を配置し、任意でボール17仕様(突出姿勢)とゴム足16仕様(退避姿勢)とに、安全で確実快適に使い分けることができる。
【符号の説明】
【００１８】
1      ゴム付きキャスタ
2      従来のキャスタ
3      床面
4      支持キャスタ
5      上端取り付け部の回動支点軸
6      360°自在可動領域
7      支点軸の円周
8      立ち椅子
9      キャスタ本体(円柱体23、大径部11、複数の係合溝12A.12B、円周形状の円筒面21、止めネジ20、ボール17、ボール保持部29、ストッパ19と、を含む)
10     支柱取り付けネジ穴
11     大径部
12A 上溝
12B 下溝
13  係合ピン
14  ハウジング本体(ハウジング) (ゴム足16、ハウジング14、係合突部15、円筒状の側壁28、収容空間30、中央開口22、係合ピン13と、を含む)
15  係合突部
16  ゴム足
17  ボール
18  繰り出し余裕幅
19  ストッパ
20  止めネジ
21  円周形状の円筒面
22  中央開口
23  円柱体
24  係合ピン13の先端
25  ボールの繰り出し距離（ゴム足16底面部からボールの最下端部の距離）
26  ボール仕様時全長
27  ゴム足仕様時全長
28  円筒状の側壁
29  ボール保持部
30  収容空間
【図１】
0003226171.tif 000003
【図２】
0003226171.tif 000004
【図３】
0003226171.tif 000005
【図４】
0003226171.tif 000006
【図５】
0003226171.tif 000007
【図６】
0003226171.tif 000008
【図７】
0003226171.tif 000009
【図８】
0003226171.tif 000010
【図９】
0003226171.tif 000011
【図１０】
0003226171.tif 000012
【図１１】
0003226171.tif 000013
【図１２】
0003226171.tif 000014
【図１３】
0003226171.tif 000015
【図１４】
0003226171.tif 000016
【図１５】
0003226171.tif 000017